(57)【要約】【課題】合流ます等の被蓋体内の通気が可能であり、全体のコンパクト化を図りつつ優れた通気及び逆止機能を発揮できる通気装置であり、通気性能を確保しつつ、通気部分が接液したり通気部分に異物や虫などが侵入することを防ぐことができ、長期に亘って通気及び逆止機能を維持できる通気装置を提供する。【解決手段】容体状の被蓋体３に流出口１０と複数の流入口１１とを設け、この被蓋体３に設けた確認開口部１４を通気蓋体４で着脱自在に被蓋し、この通気蓋体４に逆止弁機構１７、又は逆止弁機構１７と通気弁機構１８とを有する密封体５を内蔵し、この密封体５で外気を流入させて被蓋体３内の負圧状態を解除し常時は閉止状態を保持するようにした通気装置である。この通気装置は、密封体５の下方位置にアダプタ６を配設し、このアダプタ６は、逆止弁機構１７を保護する遮蔽部５０と通気機能を有する通気部５１とを有している。【選択図】      図２
2010031594.tif 000002
【特許請求の範囲】
【請求項１】
容体状の被蓋体に流出口と複数の流入口とを設け、この被蓋体に設けた確認開口部を通気蓋体で着脱自在に被蓋し、この通気蓋体に逆止弁機構、又は逆止弁機構と通気弁機構とを有する密封体を内蔵し、この密封体で外気を流入させて被蓋体内の負圧状態を解除し常時は閉止状態を保持するようにした通気装置において、前記密封体の下方位置にアダプタを配設し、このアダプタは、前記逆止弁機構を保護する遮蔽部と通気機能を有する通気部とを有することを特徴とする通気装置。
【請求項２】
前記アダプタは、前記密封体の下方位置の前記通気蓋体に内蔵した請求項１に記載の通気装置。
【請求項３】
前記アダプタを円形状に形成してこのアダプタの外周側に取付部を設け、この取付部を前記密封体の外周囲に形成した指掛部に取付けてアダプタを前記通気蓋体に内蔵した請求項２に記載の通気装置。
【請求項４】
略椀状に形成した前記遮蔽部の中央にドレン孔を設け、前記椀状遮蔽部の底面側を外部の空気を案内する案内面とした請求項１乃至３の何れか１項に記載の通気装置。
【請求項５】
前記通気部は、前記遮蔽部の廻りに形成された放射状の格子、又は複数のリブの間に形成された通気間隙であり、この通気間隙を介して空気が連通するようにした請求項１乃至４の何れか１項に記載の通気装置。
【請求項６】
前記アダプタの前記通気部の外周側に通気を案内するテーパ面又は円弧面状の流路案内部を形成した請求項５に記載の通気装置。
【請求項７】
前記アダプタの上面側に突起部を設け、この突起部で前記アダプタの誤装着を防止するようにした請求項２乃至６の何れか１項に記載の通気装置。
【発明の詳細な説明】
【技術分野】
【０００１】
本発明は、通気装置に関し、例えば、合流ますや排水ます或は排水ヘッダー等の排水設備に装着されるものであり、合流ますや排水ますの場合、この通気装置は、ます本体内の点検口に設けるます蓋内に内蔵されるものであって、合流ますや排水ます用蓋内蔵型タイプに好適な通気装置に関する。
【背景技術】
【０００２】
従来より、床下内において合流ます（排水ます）を利用して複数の排水管を集約し、下流側に流すようにした排水システムが提案されている。この排水システムは、配管スペースをコンパクト化することで居住空間を広くでき、また、施工が簡単であるなどのメリットもあるため広く利用されつつある。排水システムを設ける場合には、円滑に排水できるようにするために、排水時に配管内に生じる負圧を確実に軽減することが重要になっている。
【０００３】
この種の排水システムとして、例えば、特許文献１の住宅用排水システムが知られている。同排水ますシステムは、床下に複数の排水枝管が接続されたヘッダーを配置し、このヘッダーの流出側に排水主管を介して排水枡を接続したものである。この排水ますシステムには、負圧発生時にトラップが破封することを防止するための通気弁が設けられている。
【０００４】
また、特許文献２は、１つの排水主管と接続する流出口と、複数の排水枝管と接続する流入口を有する集合ますを用いた排水用床下配管設備である。同配管設備は、排水枝管の上流側の器具トラップの一部を省略することで、この排水枝管を通気管兼用としている。
【０００５】
一方、特許文献３には、排水枡を用いた屋内の床下配管が開示されている。この床下配管において、排水枡には枡蓋の上面に露出した吸気弁が設けられており、この吸気弁を介して配管内に外気が吸気されるようになっている。
【０００６】
同文献１、２は、通気部位が排水ますの外部に設けられており、所定の通気量を確保するためには広い配管スペースが必要になっている。また、強い圧力が加わったときに通気部位が破損する可能性がある。一方、同文献３は、吸気弁が蓋の外部に露出しているためコンパクト化に反するばかりでなく、吸気弁が外部と接触して損傷したり、床下の湿気や塵埃により作動不良が起こるおそれがある。また、この吸気弁は、運搬や保管が不便であったり、容量を小さくした場合に排水枡内の負圧を解消することが難しくなっていた。
【０００７】
これに対して、本発明者は、特許文献４において、通気蓋内蔵型通気装置を提案している。この通気蓋内蔵型通気装置は、流出口と流入口とを有する容体状の被蓋体に通気蓋体を着脱自在に被蓋し、この通気蓋体内に通気密封体を装着し、この通気密封体内に通気弁機構又は逆止弁機構を有している。
同通気装置は、被蓋体内が負圧になったときに、通気弁機構又は逆止弁機構により被蓋体内の負圧状態を解除し、かつ、常時は、通気弁機構又は逆止弁機構により閉止状態を保持するようになっている。本発明者は、同通気装置の提案により、全体のコンパクト化を図りつつ、優れた通気及び逆止機能を発揮しながら合流ます等の被蓋体内の通気を可能にし、同文献１〜３の問題点を解消している。
【０００８】
【特許文献１】特開２００２−６１２４７号公報
【特許文献２】特開２００３−１３８６２１号公報
【特許文献３】特開２００１−４０７４５号公報
【特許文献４】特願２００７−３０１０９６号
【発明の開示】
【発明が解決しようとする課題】
【０００９】
上述したように、特許文献１、２の排水システムは、広い配管スペースを必要としたり、排水時に通気部位が破損する危険性がある。また、特許文献３は、コンパクト化が難しくなったり、損傷しやすくなるなどの問題がある。
【００１０】
一方、特許文献４は、同文献１〜３に生じる問題点を解消しているが、次のような現象があらたに生じる可能性があるため、これを解消する必要がある。
すなわち、同文献４の合流ますの排水効率をさらに向上させるために、合流する排水が直接衝突することを防ぐ仕切板を設けることが考えられる。仕切板を設ける場合、仕切板の中央部位には通気蓋より空気を流入させるための通気口を開口することが必要になる。
しかし、通気口を設けた場合、この通気口と、通気蓋に内蔵されている逆止弁機構とが直接繋がるため、排水が合流する際に発生する跳ね水や、排水から跳ね出した異物や、排水の湯気による水滴等が逆止弁機構の弁体や弁座に付着することがある。この水や異物の付着が過度になると、微圧の負圧（例えば、２０〜５０Ｐａ）が生じたときに逆止弁機構が正常に作動しなくなり、臭気漏れや逆流漏れ、通気不良が生じる可能性がある。
【００１１】
しかも、この逆止弁機構は、弁体をスプリングにより上方側に付勢して弁座に着座させる構造であるので、弁体が自重により弁座に着座する構造に比べてより水や異物による悪影響を受けやすくなっている。
上記した現象は、逆止弁機構と通気弁機構とを設けた場合にも、逆止弁機構に対して同様に生じることになる。
【００１２】
また、この通気装置は、通気蓋より流入した空気が合流ます内で一旦拡散される構造であるため、仕切板を設けた場合には中央の通気口に対して空気が流れる効率が悪くなるおそれがある。このため、排水時の空気の流れの効率をより高める必要もある。
【００１３】
更には、この通気装置を床下に２個以上連通させて設けると、一方側の通気装置の排水時にこの通気装置に対して、他方側の通気装置側から通常の流れとは反対の逆流空気が流れ込みやすくなる。この空気により排水側から羽虫等の害虫が通気装置側に侵入することがあり、この害虫が通気装置内を上昇して通気弁機構の弁体に付着すると、弁機能に支障をきたすことがある。
【００１４】
本発明は、上記の課題点に鑑みて開発したものであり、その目的とするところは、合流ます等の被蓋体内の通気が可能であり、全体のコンパクト化を図りつつ優れた通気及び逆止機能を発揮できる通気装置であり、通気性能を確保しつつ、通気部分が接液したり通気部分に異物や虫などが侵入することを防ぐことができ、長期に亘って通気及び逆止機能を維持できる通気装置を提供することにある。
【課題を解決するための手段】
【００１５】
上記の目的を達成するため、請求項１に係る発明は、容体状の被蓋体に流出口と複数の流入口とを設け、この被蓋体に設けた確認開口部を通気蓋体で着脱自在に被蓋し、この通気蓋体に逆止弁機構、又は逆止弁機構と通気弁機構とを有する密封体を内蔵し、この密封体で外気を流入させて被蓋体内の負圧状態を解除し常時は閉止状態を保持するようにした通気装置において、密封体の下方位置にアダプタを配設し、このアダプタは、逆止弁機構を保護する遮蔽部と通気機能を有する通気部とを有する通気装置である。
【００１６】
請求項２に係る発明は、アダプタは、密封体の下方位置の通気蓋体に内蔵した通気装置である。
【００１７】
請求項３に係る発明は、アダプタを円形状に形成してこのアダプタの外周側に取付部を設け、この取付部を密封体の外周囲に形成した指掛部に取付けてアダプタを通気蓋体に内蔵した通気装置である。
【００１８】
請求項４に係る発明は、略椀状に形成した遮蔽部の中央にドレン孔を設け、この椀状遮蔽部の底面側を外部の空気を案内する案内面とした通気装置である。
【００１９】
請求項５に係る発明は、通気部は、遮蔽部の廻りに形成された放射状の格子、又は複数のリブの間に形成された通気間隙であり、この通気間隙を介して空気が連通するようにした通気装置である。
【００２０】
請求項６に係る発明は、アダプタの通気部の外周側に通気を案内するテーパ面又は円弧面状の流路案内部を形成した通気装置である。
【００２１】
請求項７に係る発明は、アダプタの上面側に突起部を設け、この突起部でアダプタの誤装着を防止するようにした通気装置である。
【発明の効果】
【００２２】
請求項１に係る発明によると、合流ます等の被蓋体内の通気が確実に行われ、全体のコンパクト化を図りつつ優れた通気及び逆止機能を発揮できる通気装置であり、通気性能を確保しつつ、通気部分が接液したり通気部分に異物や虫などが侵入することを防いで、長期に亘って通気及び逆止機能を維持できる通気装置である。
【００２３】
請求項２に係る発明によると、密封体の所定位置に対してアダプタを内蔵することで遮蔽機能と通気機能とを効率的に発揮し、また、被蓋体に対してこのアダプタを通気蓋と一体に着脱できるため修理やメンテナンスも容易な通気装置である。
【００２４】
請求項３に係る発明によると、密封体に対してアダプタを下方側から簡単に着脱できるため、このアダプタの修理やメンテナンスが簡単になるばかりでなく、密封体の修理等も容易に実施できる通気装置である。アダプタの装着後においては、このアダプタの脱落が防がれ、遮蔽部による遮蔽機能と通気部による通気機能とが安定して発揮される通気装置である。
【００２５】
請求項４に係る発明によると、水や異物、虫などを遮蔽しつつ逆止弁機構からの空気を案内面に沿って流して効率的に被蓋体側に通気できることで通気機能が向上し、また、ドレン孔より結露水を排出できることでこの通気機能を維持できる通気装置である。
【００２６】
請求項５に係る発明によると、被蓋体側への通気性を十分に確保でき、特に、通気部を放射状の格子の間に形成された通気間隙とした場合には、羽虫等の害虫の侵入を抑制し、害虫が弁体に付着することを防いだ通気装置である。
【００２７】
請求項６に係る発明によると、通気部を通過する空気を遮蔽部の案内面の中央側に集約させるように案内し、被蓋体内で空気が拡散することを防いで通気性能を向上させることができる通気装置である。
【００２８】
請求項７に係る発明によると、密封体に対して正確な取付状態でアダプタを装着でき、通気弁機構を常に正常に動作させることができる通気装置である。
【発明を実施するための最良の形態】
【００２９】
以下に、本発明における通気装置の好ましい実施形態を図面に基づいて詳細に説明する。
図１において、本発明の通気装置本体１は、例えば、床Ｇの下側に配設された排水システム２の一部として利用され、被蓋体３と、通気蓋体４と、密封体５とを有している。また、密封体５の下方位置にはアダプタ６が配設されている。
【００３０】
被蓋体３は、例えば、排水用合流ますであり、容体状をなし、流出口１０と複数の流入口１１とを有している。流入口１１には、図示しない１次側のトイレや洗面所等の排水機器から流れる複数の排水枝管等の流入管１２が接続されている。また、流出口１０には、排水用の排水管１３が接続されている。これにより、被蓋体３は、流入管１２を介して１次側の排水を集約し、この排水を２次側の排水管１３から流すようになっている。
また、被蓋体３の上部には、内部を確認するための確認開口部（点検口）１４が形成され、この確認開口部１４は、通常時には通気蓋体４により被蓋される。
【００３１】
被蓋体３の内周側には切欠段部３ａが形成され、被蓋体３の内部には、この切欠段部３ａに縁部７ａが係止固定されて仕切板７が配設されている。仕切板７の中央部位には通気口７ｂが設けられ、この通気口７ｂを介して通気蓋体４側から被蓋体３内に空気が流入される。また、仕切部７ｃは、通気口７ｂを囲むように設けられ、この仕切部７ｃにより各流入口１１が区切られて、合流する排水が直接衝突することが防がれる。
【００３２】
図２に示した通気蓋体４は、被蓋体３内に外気（空気）を通気するために設けられ、通気装置本体１をコンパクト化するために、特に、高さ方向の寸法が短く形成されて小型化されている。通気蓋体４の内部には膨出室１５が形成されており、この膨出室１５に密封体５が嵌着されるようにして内蔵されている。
通気蓋体４は、確認開口部１４に対して着脱自在に設けられ、この通気蓋体４を確認開口部１４から取外したときに、被蓋体３のメンテナンスや清掃が実施可能になっている。なお、本実施形態において、通気蓋体４は、排水用合流ますの蓋部になっているが、これに限定されるものではない。
【００３３】
図２〜図５に示すように、密封体５は、通気蓋体４の内側に嵌着可能な略円筒状に設けられている。密封体５を構成するベース１６は、例えば、ＡＢＳ又はその他の樹脂によって形成され、このベース１６の上方側には逆止弁機構１７と通気弁機構１８とが設けられ、また、ベース１６の中間付近には通気路となる通気室１９が形成されている。本実施形態においては、逆止弁機構１７と通気弁機構１８とを設けているが、逆止弁機構のみを設けるようにしてもよい。
逆止弁機構１７と通気弁機構１８とは、密封体５における後述する気密室２０に連通する位置に設けられ、この逆止弁機構１８と通気弁機構１８とにより、通気装置本体１内に生じた負圧が軽減されるようになっている。
【００３４】
逆止弁機構１７は、弁体２１、弁軸２２、ストッパー２３、止め部材２４、スプリング２５を有している。
弁体２１は、ＥＰＤＭ等のゴム製により円板状に形成され、弁軸２２とストッパー２３との間に挟着されるように取付けられる。弁軸２２は、ＡＢＳ等の樹脂製からなり、軸部２２ａと円板状の拡径部２２ｂとを有している。軸部２２ａは、後述の弁軸ガイド２６に挿入可能な形状であり、更に、この軸部２２ａの先端側には、止め部材２４を取付けるための溝部２２ｃが形成されている。ストッパー２３は、ＡＢＳ等の樹脂製からなり、中央位置に軸部２２ａが嵌合する嵌合穴２３ａが設けられている。また、止め部材２４は、ＡＢＳ等の樹脂製により円板状に形成され、中央位置に取付穴２４ａが形成されている。
【００３５】
一方、ベース１６において、逆止弁機構１７が形成される位置には、空気が流入する環状の流入口２７と、この流入口２７の２次側に、弁体２１が着座可能な環状弁座２８とが設けられ、更に、流入口２７には、リブ体２９と、このリブ体２９を介して略中央部に弁軸ガイド２６が設けられている。
【００３６】
逆止弁機構１７をベース１６に組み込む場合には、先ず、弁体２１を弁軸２２に装着した状態でストッパー２３を軸部２２ａに嵌め込んで固定する。続いて、弁軸２２を弁軸ガイド２６に挿入し、この弁軸ガイド２６の他方側から軸部２２ａの外周側にスプリング２５を装着した状態で、止め部材２４の取付穴２４ａに溝部２２ｃを嵌め込むようにする。これにより、弁体２１、ストッパー２３、弁軸２２がベース１６に対して組み込まれて、逆止弁機構１７が構成される。
【００３７】
一方、図２〜図５に示すように、通気弁機構１８は、弁体３１、弁軸３２、ストッパー３３を有している。
弁体３１は、ＥＰＤＭ等のゴム製により円板状に形成され、弁軸３２とストッパー３３との間に挟着されて取付けられる。弁軸３２は、ＡＢＳ等の樹脂製よりなり、軸部３２ａと円板状の拡径部３２ｂとを有している。軸部３２ａは、後述の弁軸ガイド３４に挿入可能な形状になっている。
【００３８】
また、軸部３２ａは、先方側が断面略十字形状に形成され、この軸部３２ａが弁軸ガイド３４に挿入されたときに、この弁軸ガイド３４との間に図示しない隙間が構成され、この隙間内にドレンや空気が流れるようになっている。また、軸部３２ａの断面形状は、断面略十字形状以外であってもよく、弁軸ガイド３４との間に隙間を設けることが可能であれば、任意の断面形状であってもよい。ストッパー３３は、ＡＢＳ等の樹脂製からなり、中央位置に軸部３２ａが嵌合する嵌合穴３３ａが設けられている。
【００３９】
また、ベース１６において、通気弁機構１８が形成される位置には、外部の空気が流入する環状の流入口３５と、この流入口３５の２次側に弁体３１が着座可能な環状弁座３６とが設けられ、更に、流入口３５には、リブ体３７と、このリブ体３７を介して略中央部に弁軸ガイド３４が設けられている。この弁軸ガイド３４は、後述する補強リブ３８に一体に設けられている。
【００４０】
弁軸ガイド３４は、内周側に軸部３２ａが挿入可能に設けられ、また、この弁軸ガイド３４の下方に位置する底板部３９と弁軸ガイド３４とが交差する付近には貫通孔４０が形成され、この貫通孔４０により、弁軸ガイド３４の内部と通気室１９とが連通している。この構造により、弁軸ガイド３４の内部に水分や空気などが浸入して内封されることが防がれ、特に、通気装置本体１が湿気の多い床下等の場所に設置された場合であっても、弁体３１がスムーズに作動し、通気弁機構１８による通気機能が確実に発揮される。
【００４１】
通気弁機構１８をベース１６に組み込む場合には、弁体３１を弁軸３２に装着した状態で、ストッパー３３を軸部３２ａに嵌め込むことにより一体化する。これにより、通気弁機構１８は、通気室１９とこの通気室１９と連通する気密室２０との間に配設される。通気弁機構１８の組立後には、軸部３２ａの下端を貫通孔４０より視認することにより、適正な組み込み状態であるか否かを確認できる。
【００４２】
また、通気室１９は、通気蓋体４の周方向に開口された空気流入口７と連通しており、この空気流入口７を介して密封体５内に外気が流入する。
ベース１６から流入口３５にかけては、リブ体３７と一体に補強リブ３８が形成され、この補強リブ３８は、弁軸ガイド３４を補強し、また、成形不良の防止部位としても機能する。
【００４３】
また、隔壁４１は、逆止弁機構１７の２次側と通気弁機構１８の１次側とを遮断するように形成され、略円弧状に設けられることにより、逆止弁機構１７の２次側周辺には通気路４２が形成される。この通気路４２により、逆止弁機構１７の２次側付近が広い空間になっている。
【００４４】
また、密封体５には、上Ｏリング４３と下Ｏリング４４とが設けられている。上Ｏリング４３は、密封体５の外周側に形成された凹状溝５ａに装着される。この上Ｏリング４３により、通気蓋体４と密封体５との間が上方付近においてシールされ、通気蓋体４と密封体５とにより囲まれた空間である気密室（弁室）２０が設けられる。この気密室２０により、通気室１９から取り入れた外部の空気が、通気弁機構１８と逆止弁機構１７とを通過した後に、被蓋体３内に供給される。
【００４５】
下Ｏリング４４は、密封体５の下方位置の外周側に形成された凹状溝５ｂに装着される。この下Ｏリング４４により、通気蓋体４と密封体５との間が下方付近においてシールされ、被蓋体３内に臭気や排水が逆流して水圧が高くなったときに、この水圧を封止したり、被蓋体内に外気が短絡して侵入することが防がれる。
【００４６】
また、密封体５の底面側の外周囲には一対の指掛部４５、４５が設けられ、この指掛部４５を把持して密封体５を回転させることで、この密封体５を通気蓋体４に着脱することが可能になっている。
【００４７】
図２〜図４に示すように、密封体５の下部外周には、通気蓋体４の膨出室１５の内周に設けられた係合溝１５ａに係合する係合突部５ｃが形成されている。密封体５は、この係合突部５ｃを係合溝１５ａに係合させるように指掛部４５を把持して回転することで、通気蓋体４内に内蔵される。このように、密封体５と通気蓋体４とは、係合突部５ｃと係合溝１５ａとによる回転係合手段により一体化しているため、螺着による固定手段を設けた場合と比較して製造時の成形コストが低減している。更に、複数の係合突部５ｃのうちの１つを小係合突部５ｄとし、この小係合部５ｄが係合する小係合溝１５ｂを形成することにより、空気流入口７と通気室１９との位置決めが確保されている。
【００４８】
通気蓋体４に密封体５を嵌め込むと、前記の上Ｏリング４３、下Ｏリング４４が密封体５と通気蓋体４との間の所定位置をシールし、このＯリング４３、４４の間に空気流入部である通気室１９が形成され、この通気室１９は、空気流入口７に連通している。これにより、空気流入口７から流入した外部空気が通気室１９を介して密封体５内に流れるようになっている。
【００４９】
更に、密封体５における下Ｏリング４４の上部側の外周には段部５ｅが設けられ、この段部５ｅは、通気蓋体４に形成された段状部４ａに係合されている。この係合構造により、段部５ｅが耐圧部の役割を果たし、排水システム２内に正圧や排水の水頭圧が加わった場合に、この圧力が段状部４ａを介して段部５ｅに伝わり、この段部５ｅにより密封体５に集中して圧力が加わるので、逆止弁機構１７や通気弁機構１８、及び、通気室１９に加わろうとする圧力が分散される。しかも、この段部５ｅを形成することにより、密封体５の通気室１９付近の補強を最小限にすることが可能になるため、通気室１９を広く設けることができ、この通気室１９に対して所定の通気量が確保される。
【００５０】
図６、７に示したアダプタ６は、密封体５の下方位置の通気蓋体４に内蔵される。このアダプタ６は、樹脂成形により密封体５の下方内周面に嵌着可能な円形状の枠体６ａを有し、また、遮蔽部５０と通気部５１とを有している。更に、アダプタ６の外周側には、取付部５２が設けられている。
【００５１】
遮蔽部５０は、逆止弁機構１７を保護する機能を有している。また、遮蔽部５０は、略椀状に形成され、この略椀状の形状により、遮蔽部５０の底面側には外部の空気を案内する案内面５３が構成されている。ここで、遮蔽部５０を逆椀状、すなわち上方に突出した形状としてもよいが、本実施形態のように、下方に突出した略椀状にすることが、空気を遮蔽部５０の下方に案内する上で、また、後述するドレンを排出する上でも好ましい。
【００５２】
更に、遮蔽部５０の廻りには放射状の格子５４が設けられ、遮蔽部５０は、この格子５４を介して枠体６ａに一体化されている。本実施形態においては、この格子５４により遮蔽部５０を枠体６ａに一体化しているが、図８の他の実施形態に示すように、遮蔽部５０の廻りに複数のリブ５５を設け、このリブ５５により遮蔽部５０を枠体６ａに一体化するようにしてもよい。また、遮蔽部５０の中央には、ドレン孔５６が設けられている。
【００５３】
通気部５１は、格子５４、又は、リブ５５の間に形成された通気間隙であり、この通気間隙５１を介して空気が通気蓋体４から被蓋体３に連通するようになっている。
更に、通気部５１とこの通気部５１の外周側における枠体６ａとの間には、テーパ面、又は円弧面状の流路案内部５７が形成されている。この流路案内部５７は、アダプタ６を取付けた後に被蓋体３の略中心方向に傾斜するように任意の角度に形成され、この流路案内部５７により、通気蓋体４から空気が案内されるようになっている。このとき、空気は、流路案内部５７の角度によって仕切板７の通気口７ｂに向かって案内される。
【００５４】
また、取付部５２は、略Ｌ字形状に形成されており、アダプタ６を指掛部４５に取付けるために設けられている。アダプタ６を取付ける際には、密封体５の下方からアダプタ６を挿入し、このアダプタ６を密封体５に対して回転することで取付部５２の水平方向の水平取付部５２が指掛部４５の上面に引っ掛かり、また、垂直方向の垂直取付部５２ｂが指掛部４５の側面に当接する。これにより、アダプタ６が指掛部４５に固定され、通気蓋体４の所定位置に内蔵された状態で、この通気蓋体４と一体化するようになっている。
【００５５】
更に、アダプタ６の上面側には誤装着防止用の棒状の突起部５８が設けられている。この突起部５８は、図７に示すように、円形状のアダプタ６に対して中心からやや偏心する位置に設けられている。また、アダプタ６の下面６ｂは、通気蓋体４の底部４ｂよりも上方に配置しており、被蓋体３内に装着された仕切板７との干渉を防止している。
【００５６】
続いて、上述した通気装置の動作を述べる。
排水システム２に排水がされていない場合には、被蓋体３の内側は大気圧であり、通気弁機構１８の弁体３１は、その自重によって弁座３６に着座し、流入口３５は閉じられた状態にある。一方、逆止弁機構１７は、弁体２１がスプリング２５の付勢力により弁座２８に着座した状態を維持し、流入口２７は閉じられた状態にある。
【００５７】
いま、排水システム２内に排水が流れると、この排水は、流入管１２を介して被蓋体３内に流入する。被蓋体３に排水が流れると、この被蓋体３内には負圧が生じ、通気蓋体４の開口側にも負圧が発生する。
通気蓋体４の開口側に負圧が生じると、この負圧により逆止弁機構１７の弁体２１がスプリング２５の付勢力に抗して下降し、弁座２８から離間して流入口２７が開放される。続いて、この逆止弁機構１７と通気弁機構１８との間の気密室２０が負圧になり、この負圧により、通気弁機構１８の弁体３１が上昇して流入口３５が開放され、この流入口３５を介して外気が気密室２０内に流入する。この空気は、気密室２０、逆止弁機構１７を通過してベース１６の下方側から被蓋体３内に流れる。
【００５８】
これにより、排水時には、通気蓋体４内に内蔵された逆止弁機構１７と通気弁機構１８とを有する密封体５により被蓋体３内に空気が流入して負圧が軽減され、排水機器に接続された図示しないトラップが破封することなく排水管１３から円滑に排水が流れる。その結果、排水システム２内に流すことができる排水量を増やすことができ、排水能力の向上に繋がる。
【００５９】
排水システム２内の負圧が軽減されると、逆止弁機構１７の弁体２１が弁座２８に着座して流入口２７が閉止され、続いて、通気弁機構１８の弁体３１が弁座３６に着座して流入口３５が閉止されることで外部空気の流入が停止し、また、外部への臭気の流出が防がれる。
このとき、排水システム２内が仮に満水状態になったとしても、逆止弁機構１７の逆止機能により排水の逆流が防がれ、かつ、逆止弁機構１７の安定した弁体動作により優れた通気性能が確保される。
【００６０】
このように、通気蓋体４内に、逆止弁機構１７と通気弁機構１８とを有する密封体５を内蔵しているため、通気装置本体１は、コンパクト性を維持しながら通気機能と逆止機能を発揮できる。しかも、上記実施形態においては、通気弁機構１８が損傷しても逆止弁機構１７により逆止及び通気機能が確実に維持され、臭気が外部に流出することも防がれる。
【００６１】
上記実施形態においては、逆止弁機構１７と通気弁機構１８とを設けた場合を説明したが、逆止弁機構１７のみを設けるようにしてもよい。この場合にも、上記の場合と同様に逆止弁機構１７によって逆止及び通気機能が発揮され、更には、構造も単純化されてコストが低減されながら簡単に製作できる。
【００６２】
このように通気蓋体４内に逆止弁機構１７のみを設ける場合は、通気弁機構１８を除外し、逆止弁機構１７が開放されたときに外気と連通する空気流入口を通気蓋体４の適宜位置に設けるようにする。また、ベース１６の適宜位置にこの空気流入口と連通する連通口を設けるようにする。その他の構造は、上記の実施形態と同様であるので、その説明を省略する。
【００６３】
また、上記実施形態において、アダプタ６を通気蓋体４内に内蔵しているが、このアダプタ６を被蓋体３の中に内蔵することもできる。
【００６４】
次に、本発明の通気装置の上記実施形態における作用を説明する。
本発明の通気装置は、逆止弁機構１７と通気弁機構１８とを有する密封体５の下方位置にアダプタ６を配設し、このアダプタ６は、逆止弁機構１７を保護する遮蔽部５０を有しているので、排水が合流したときに発生する跳ね水や、跳ね出した異物や、排水の湯気を遮蔽し、これらが逆止弁機構１７に触れたり付着したりすることを防ぐことができる。これにより、逆止弁機構１７の正常動作が確保され、臭気漏れや逆流漏れ、通気不良の発生などが防がれる。
【００６５】
しかも、図３に示した逆止弁機構１７や通気弁機構１８の開放時には、矢印に示すように、逆止弁機構１７の弁体２１の外周囲から流入した空気が遮蔽部５０の案内面５３に沿って中心側に流れ、また、空気は、遮蔽部５０の廻りに形成した通気部５１とこの通気部５１の外周側に設けたテーパ面又は円弧面状の流路案内部５７によって案内面５３側に案内される。
【００６６】
これにより、通気蓋体４からの空気が被蓋体３内で拡散することがなく被蓋体３の中央付近に集約されるように流れ、空気の流れの効率が高まって通気性能が向上する。この場合、流路案内部５７は、テーパ面状、円弧面状の何れの場合にも同じ空気案内機能を発揮する。そして、遮蔽部５０を有しつつも、通気弁機構１８の下方領域も通気スペースとして利用することにより、十分な通気を行なうことができる。なお、遮蔽部５０の中央にはドレン孔５６が設けられているので、このドレン孔５６から内部結露水が排水され、水が蓄積することが防がれる。
【００６７】
また、通気部５１は、格子５４の間に形成された通気間隙であるので、仮に、通気装置本体１内に空気が逆流し、この空気中に羽虫等の害虫が含まれていたとしても、この害虫は格子５４によって阻止され、弁体２１側に侵入することが防がれる。このため、害虫が弁体２１に付着することが防がれ、弁体２１は弁座２８に対して常に高シール状態で着座できる。
【００６８】
更に、アダプタ６の外周側に取付部５２を設け、この取付部５２を密封体５の指掛部４５に回転係合させてアダプタ６を通気蓋体４に内蔵しているので、アダプタ６を密封体５に対して所定の位置に装着できる。これにより、アダプタ６を装着する際には、逆止弁機構１７に対する遮蔽部５０・通気部５１の位置が常に一定の状態に装着される。また、この取付構造により、アダプタ６が密封体５に対して脱落することが防止される。
【００６９】
しかも、アダプタ６の上面側に誤装着防止用の突起部５８を偏心させて設けているので、図７に示すように、アダプタ６が密封体５に対して正規の取付け状態にある場合には、突起部５８が通気路４２の位置に逃げてベース１６に当接しない状態になる。一方、アダプタ６が密封体５に対して正規の取付け状態に無い状態（正規の取付け状態から１８０°回転した状態）にある場合には、突起部５８が底板部３８に当接する位置になり、アダプタ６を密封体５に取付けることはできない。このように、突起部５８をアダプタ６に対して偏心させて形成することにより、正規の取付け状態にある場合にのみアダプタ６を取付けでき、アダプタ６の誤装着を防止している。
【図面の簡単な説明】
【００７０】
【図１】排水システムの一例を示した断面図である。
【図２】図１の一部拡大断面図である。
【図３】図２の逆止弁機構と通気弁機構とが動作した状態を示す一部拡大断面図である。
【図４】密封体を示す拡大斜視図である。
【図５】密封体の分解斜視図である。
【図６】アダプタの拡大斜視図である。
【図７】本発明の通気装置の一実施形態を示す一部切欠き底面図である。
【図８】本発明の通気装置の他の実施形態を示す一部切欠き底面図である。
【符号の説明】
【００７１】
１  通気装置本体
３  被蓋体
４  通気蓋体
５  密封体
６  アダプタ
１０  流出口
１１  流入口
１４  確認開口部
１７  逆止弁機構
１８  通気弁機構
４５  指掛部
５０  遮蔽部
５１  通気部（通気間隙）
５２  取付部
５３  案内面
５４  格子
５５  リブ
５６  ドレン孔
５７  流路案内部
５８  突起部
【図１】
2010031594.tif 000003
【図２】
2010031594.tif 000004
【図３】
2010031594.tif 000005
【図４】
2010031594.tif 000006
【図５】
2010031594.tif 000007
【図６】
2010031594.tif 000008
【図７】
2010031594.tif 000009
【図８】
2010031594.tif 000010